(57)【特許請求の範囲】
【請求項１】
フック部とハンガー本体とを有するハンガーにおいて、前記フック部と前記ハンガー本体との間に、襟の後ろ首部から側部にわたるカーブにならって滑らかに湾曲した湾曲部を長手方向の両側に有する襟形状保持部を形成したことを特徴とする襟形状保持立体ハンガー。
【請求項２】
前記襟形状保持部両側の湾曲部端部における接平面と前記ハンガー本体を含む平面とのなす角を直角よりも小さくしたことを特徴とする請求項１に記載の襟形状保持立体ハンガー。
【請求項３】
前記襟形状保持部の中央部を前方に湾曲して形成し、その湾曲した中央部の上部に前記フック部の基端部を連設したことを特徴とする請求項１または２に記載の襟形状保持立体ハンガー。
【請求項４】
前記ハンガー本体は上部がほぼ水平で両肩部が上方に盛り上がった形状を有することを特徴とする請求項１から３のいずれかの項に記載の襟形状保持立体ハンガー。
【請求項５】
前記ハンガー本体の上部と前記襟形状保持部とを、ハンガー本体の直線状部分と襟形状保持部の湾曲部分とをつなぐ面状の接合部で接合したことを特徴とする請求項１から４のいずれかの項に記載の襟形状保持立体ハンガー。
【発明の詳細な説明】
【０００１】
【発明の属する技術分野】
本発明は、クリーニング店で洗濯、アイロン仕上げされたワイシャツ等のシャツを立体包装するためのハンガーに関するものである。
【０００２】
【従来の技術】
従来、クリーニング店で洗濯、アイロン仕上げされたワイシャツ等の襟付き衣服は、ハンガーに装着するときにワイシャツ等の襟部の型崩れを防止するために、厚紙等で形成された型崩れ防止具をワイシャツ等の襟の中に装着している。
【０００３】
しかしながら、この厚紙製の型崩れ防止具は、ワイシャツ等の襟の裏面に装着する際に手間がかかり、作業が繁雑であった。また、この型崩れ防止具は顧客が衣服を着るときには外して使用するため、単なるゴミとして捨てられ、クリーニング工場、クリーニング店での再使用はできないので、資源の無駄であった。
【０００４】
そこで、ハンガーに襟潰れ防止手段を設けたものが考え出された。
実用新案登録第３００２６４７号登録公報には、衣服支持部と、この衣服支持部中央上部に連設されるフック部とを備え、衣服支持部の支持基部の左右端上部に折目線を介して形崩防止突片を連設し、この形崩防止突片は、衣服支持部に対して前側に折起されて、衣服支持部に支持される衣服の台襟部に当接するようにしたハンガーが開示されている。
【０００５】
また、特開２０００−９３２８４号公報には、衣服支持部に対して前側に突設され、衣服支持部側に変形可能とした襟潰れ防止手段を設けたハンガーが開示されている。
【０００６】
特開２０００−５１０４９号公報には、襟潰れ防止片を複数のヒンジ部で折り曲げ自在にしたハンガーが開示されている。
【０００７】
特開平８−１０１２６号公報には、人間の肩の線とほぼ同じ形状に形成した掛止棒に、ワイシャツ等の衣服を人が着用したときのカラーの形状とほぼ同じ形状に形成したカラー装着板を取り付けた衣服立体ハンガーが開示されている。
【０００８】
また、実開平７−１８６７４号公報には、肩部の両端にシャツ類の側方を折り曲げるためのガイド部を形成したハンガーの首部に襟元保持具を取り付けたハンガーが開示されている。
【０００９】
【発明が解決しようとする課題】
しかしながら、前掲の実用新案登録第３００２６４７号登録公報、特開２０００−９３２８４号公報、および特開２０００−５１０４９号公報に開示されたハンガーでは、衣服支持部が平らであり、この平らな部分から形崩防止片ないし襟潰れ防止片が連設されている。したがって、形崩防止片ないし襟潰れ防止片は、立体的にカーブしているシャツの襟の内側には点で当たっているのみで、カーブに沿って当たらない。
【００１０】
そのため、クリーニング後にシャツをハンガーに掛けた状態で輸送するときに、多くのシャツを詰めて掛けると、襟が潰れるという問題があった。
【００１１】
また、特開平８−１０１２６号公報や実開平７−１８６７４号公報に開示されたハンガーでは、カラー装着板や襟元保持具を別部品で製造して組み立てなければならず、製造と組立の手間がかかり、コストアップにつながっていた。また、カラー装着板や襟元保持具が嵩張るので、複数のハンガーをコンパクトに重ねることができないという問題があった。
【００１２】
さらに、前述のいずれの従来例においても、前後の方向性があるため、自動包装機や仕分けラインでフック部の方向がメーカーによって異なるケースでは使用できないことがある。
【００１３】
そこで本発明が解決しようとする課題は、襟のカーブ面に沿って形状を保持し、また裏表いずれでも使用することのできる襟形状保持立体ハンガーを提供することにある。
【００１４】
【課題を解決するための手段】
前記課題を解決するため、本発明の襟形状保持立体ハンガーは、フック部とハンガー本体とを有するハンガーにおいて、前記フック部と前記ハンガー本体との間に、襟の後ろ首部から側部にわたるカーブにならって滑らかに湾曲した湾曲部を長手方向の両側に有する襟形状保持部を形成したことを特徴とする。これにより、シャツの襟は、襟保持部の湾曲面に当たって保持される。
【００１５】
このハンガーにおいて、前記襟形状保持部両側の湾曲部端部における接平面と前記ハンガー本体を含む平面とのなす角を直角よりも小さくすることにより、多数重ねても襟形状保持部が重なり合って、嵩張ることがない。
【００１６】
また、前記襟形状保持部の中央部を前方に湾曲して形成し、その湾曲した中央部の上部に前記フック部の基端部を連設した形状とすることにより、襟形状保持部の湾曲部がフック部に対して方向性がなくなり、裏表いずれの向きでもシャツを掛けることができる。
【００１７】
さらに、前記ハンガー本体を、上部がほぼ水平で両肩部が上方に盛り上がった形状を有する構成とすることにより、衣服の肩部がハンガー本体からずり落ちにくくなる。
【００１８】
また、前記ハンガー本体の上部と前記襟形状保持部とを、ハンガー本体の直線状部分と襟形状保持部の湾曲部分とをつなぐ面状の接合部で接合することにより、面状の接合部が補強リブの役目を果たし、強度を増すことができる。
【００１９】
【発明の実施の形態】
以下、本発明の実施の形態について説明する。
図１は本発明の実施形態を示す斜視図、図２はその正面図、図３は側面図、図４は平面図である。
【００２０】
これらの図において、１はフック部、２はハンガー本体、３は襟形状保持部、４はハンガー本体２と襟形状保持部３との接合部であり、これらは、ポリプロピレン等の合成樹脂で一体成形されている。
【００２１】
ハンガー本体２は直線部２ａの両側の肩部２ｂが衣服の肩部がずり落ちないように盛り上がっており、両側部２ｃはシャツの袖を折り曲げるガイドになるように垂直に形成されている。下部は、左右の水平部２ｄと斜辺部２ｅと補強部２ｆとが形成されており、少ない材料で強度が維持できるようにしている。
【００２２】
本発明の特徴である襟形状保持部３は、襟の後ろ首部から側部にわたるカーブにならって滑らかに湾曲した湾曲部３ａを両側に有している。この湾曲部３ａの前端部は、前方に向かって内側に曲がりすぎないように、湾曲部３ａ端部における接平面とハンガー本体２を含む平面とのなす角を直角よりも小さくしている。直角まで切り立つと、このハンガーを複数重ねたときに襟形状保持部３同士が接しなくなり、嵩張ることになる。
【００２３】
襟形状保持部３の中央部３ｂは前方に湾曲して形成し、その湾曲した中央部３ｂにフック部１の基端部を連設することにより、衣服を吊り下げたときの重心がフック部１の位置に一致するようになる。また、フック部１の前方に衣服の前が来るように衣服を吊り下げるほかに、フック部１の向きを変えて衣服を吊しても、襟形状保持部３で襟の形状を保持することができる。
【００２４】
また、ハンガー本体２の直線部２ａと襟形状保持部３の湾曲部分とを面状の接合部４で接合することにより、襟形状保持部３の厚みを薄くしても、接合部４が補強リブの機能を有するため、襟形状保持部３の変形をある程度防止することができる。
【００２５】
次に、本実施形態のハンガーの使用方法について、図５に基づいて説明する。まず、図５（ａ）に示すように、シャツＳの襟の部分が襟形状保持部３の部分に、肩の部分がハンガー本体２の水平部分にそれぞれ位置するようにシャツＳを掛ける。図５（ｂ）は裏側から見た部分であり、この状態からハンガー本体２の両側部２ｃの垂直部分をガイドとしてシャツＳの袖の部分を背中側に折り返し、図５（ｃ）のように両袖を重ねた状態でポリエチレンの袋を被せることで、立体包装が可能となる。
【００２６】
図６は、本発明の襟形状保持部３によってシャツＳの襟部が形状保持されている状態を示す斜視図である。
【００２７】
図７は、本発明の襟形状保持部３を図６とは表裏逆にしてシャツＳの襟部を止めた状態を示している。この状態では、襟形状保持部３の湾曲部３ａ端部が襟のやや裏側に来るが、襟の湾曲部のカーブには沿っているので、形状保持が可能である。
【００２８】
【発明の効果】
上述したように、本発明によれば下記の効果を奏する。
【００２９】
（１）フック部とハンガー本体との間に、襟の後ろ首部から側部にわたるカーブにならって滑らかに湾曲した湾曲部を長手方向の両側に有する襟形状保持部を形成したことにより、シャツの襟が、襟形状保持部の湾曲面に当たって立体的に保持される。
【００３０】
（２）襟形状保持部両側の湾曲部端部における接平面とハンガー本体を含む平面とのなす角を直角よりも小さくすることにより、多数重ねても襟形状保持部が重なり合って、嵩張ることがない。
【００３１】
（３）襟形状保持部の中央部を前方に湾曲して形成し、その湾曲した中央部の上部にフック部の基端部を連設した形状とすることにより、襟保持部の湾曲部がフック部に対して方向性がなくなり、裏表いずれの向きでもシャツを掛けることができる。
【００３２】
（４）ハンガー本体を、上部がほぼ水平で両肩部が上方に盛り上がった形状を有する構成とすることにより、衣服の肩部がハンガー本体からずり落ちにくくなる。
【００３３】
（５）ハンガー本体の上部と襟形状保持部とを、ハンガー本体の直線状部分と襟形状保持部の湾曲部分とをつなぐ面状の接合部で接合することにより、面状の接合部が補強リブの役目を果たし、強度を増すことができる。
【図面の簡単な説明】
【図１】本発明の実施形態を示す斜視図である。
【図２】本発明の実施形態を示す正面図である。
【図３】本発明の実施形態を示す側面図である。
【図４】本発明の実施形態を示す平面図である。
【図５】本発明の使用状態を示す説明図である。
【図６】襟形状保持部にシャツを掛けた状態を示す斜視図である。
【図７】襟形状保持部の向きを裏表反対にしてシャツを掛けた状態を示す斜視図である。
【符号の説明】
１  フック部
２  ハンガー本体
２ａ  直線部
２ｂ  肩部
２ｃ  側部
２ｄ  水平部
２ｅ  斜辺部
２ｆ  補強部
３  襟形状保持部
３ａ  湾曲部
３ｂ  中央部
４  接合部
【図１】
0003549496.tif 000002
【図２】
0003549496.tif 000003
【図３】
0003549496.tif 000004
【図４】
0003549496.tif 000005
【図５】
0003549496.tif 000006
【図６】
0003549496.tif 000007
【図７】
0003549496.tif 000008